(57)【要約】【課題】ローラを圧接する仕組みとカードの搬送を案内する仕組みとを、より簡易な構成でなしえるカード搬送装置を提供すること。【解決手段】駆動ローラ１０と、駆動ローラ１０に従動する従動ローラ２０と、を備え、駆動ローラ１０と従動ローラ２０とでカードを狭持して搬送するカード搬送装置において、従動ローラ２０を回転自在に支持すると共に、カードの搬送方向に平行な軸回りに回動自在に設けられた回動部材２１と、従動ローラ２０が駆動ローラ１０に圧接する方向に回動を生じるように回動部材２１を付勢するコイルばね２３と、搬送されるカードの一方の側縁に当接する当接部材５０と、搬送されるカードの他方の側縁に当接する当接部４２を有し、カードの搬送方向に平行な軸回りに回動自在に設けられた回動部材４１と、回動部材２１と回動部材４１との間に装填され、当接部４２がカードを当接部材５０へ押圧する方向に回動を生じるように回動部材４１を付勢するコイルばね４３と、を備え、回動部材２１と４１とを、共通の軸２２回りに回動自在に設けた。【選択図】  図５
2004227161.tif 000002
【特許請求の範囲】
【請求項１】
駆動ローラと、前記駆動ローラに従動する従動ローラと、を備え、前記駆動ローラと前記従動ローラとでカードを狭持して搬送するカード搬送装置において、
前記従動ローラを回転自在に支持すると共に、カードの搬送方向に平行な軸回りに回動自在に設けられた第１の回動部材と、
前記従動ローラが前記駆動ローラに圧接する方向に回動を生じるように前記第１の回動部材を付勢する第１の弾性部材と、
搬送されるカードの一方の側縁に当接する当接部材と、
搬送されるカードの他方の側縁に当接する当接部を有し、カードの搬送方向に平行な軸回りに回動自在に設けられた第２の回動部材と、
前記第１の回動部材と前記第２の回動部材との間に装填され、前記当接部が前記カードを前記当接部材へ押圧する方向に回動を生じるように前記第２の回動部材を付勢する第２の弾性部材と、
を備え、
前記第１の回動部材と前記第２の回動部材とが、共通の軸回りに回動自在に設けられたことを特徴とするカード搬送装置。
【請求項２】
前記カード搬送装置は、更に、
カードの搬送方向に沿うフレームを有し、
前記第１の弾性部材は、前記フレームと前記第１の回動部材との間に装填されたことを特徴とする請求項１に記載のカード搬送装置。
【発明の詳細な説明】
【０００１】
【発明の属する技術分野】
本発明は、磁気カードのリーダ／ライタ等に好適なカードの搬送技術に関するものである。
【０００２】
【従来の技術】
磁気カードのリーダ／ライタに代表されるように、カードに記録された情報等を読み取る装置においては、一般にカードを順次搬送して読み取り器等を通過させる機構が必要となる。このような搬送機構として、駆動ローラと従動ローラとからなる一対のローラ間でカードを狭持し、これらの回転によりカードを搬送する機構が広く用いられている。この機構の場合、駆動ローラと従動ローラとの間にニップ部を形成すべく、両者を圧接する仕組みが必要となる。
【０００３】
一方、搬送されるカードと読み取り器等との間に位置ずれが生じると処理の正確性が劣るため、カードの搬送を案内すべく、カードの側縁に当接するガイドをカードの両側縁にそれぞれ設けたものも提案されている。この場合、カードの一方の側縁のガイドを固定とし、他方の側縁のガイドを可動とし、かつ、可動のガイドを固定のガイドへ向けて付勢することにより、カードを固定のガイドに押圧するものも提案されている（例えば、特許文献２）。
【０００４】
【特許文献１】特開２００２−１４５４７６号公報
【特許文献２】特開平７−１３４７５３号公報
【０００５】
【発明が解決しようとする課題】
しかし、ローラを圧接する仕組みと、上述したようなカードの搬送を案内する仕組みとを併用する場合にあっては、装置の構成が複雑化し易く、部品点数の増加や、装置の組み立てに手間がかかるという問題があった。
【０００６】
従って、本発明の目的は、ローラを圧接する仕組みとカードの搬送を案内する仕組みとを、より簡易な構成でなしえるカード搬送装置を提供することにある。
【課題を解決するための手段】
本発明によれば、駆動ローラと、前記駆動ローラに従動する従動ローラと、を備え、前記駆動ローラと前記従動ローラとでカードを狭持して搬送するカード搬送装置において、前記従動ローラを回転自在に支持すると共に、カードの搬送方向に平行な軸回りに回動自在に設けられた第１の回動部材と、
前記従動ローラが前記駆動ローラに圧接する方向に回動を生じるように前記第１の回動部材を付勢する第１の弾性部材と、搬送されるカードの一方の側縁に当接する当接部材と、搬送されるカードの他方の側縁に当接する当接部を有し、カードの搬送方向に平行な軸回りに回動自在に設けられた第２の回動部材と、前記第１の回動部材と前記第２の回動部材との間に装填され、前記当接部が前記カードを前記当接部材へ押圧する方向に回動を生じるように前記第２の回動部材を付勢する第２の弾性部材と、を備え、前記第１の回動部材と前記第２の回動部材とが、共通の軸回りに回動自在に設けられたことを特徴とするカード搬送装置が提供される。
【０００７】
本発明のカード搬送装置では、更に、カードの搬送方向に沿うフレームを有し、前記第１の弾性部材は、前記フレームと前記第１の回動部材との間に装填されるように構成してもよい。
【０００８】
【発明の実施の形態】
以下、本発明の好適な実施形態について図面を参照して説明する。図１は本発明の一実施形態に係る磁気カードリーダＡの概略を示す平面図（一部破断）、図２は図１の線ＸＸに沿う断面図、図３は図１の線ＹＹに沿う断面図である。本実施形態においては、本発明を磁気カードリーダに適用した例を説明するが、本発明は、他のカード処理装置、例えば、磁気カードライタ、磁気カードリーダ・ライタ、カードプリンタ等にも適用可能である。
【０００９】
磁気カードリーダＡは、駆動ローラ１０と、駆動ローラ１０に従動する従動ローラ２０と、を備え、駆動ローラ１０と従動ローラ２０とで磁気カードを狭持して搬送する図１の矢印の方向に搬送する機構を備えるものであり、搬送の過程において読み取り器５１により磁気記録部に記録された情報が読み取られる。本実施形態において、駆動ローラ１０と従動ローラ２０とは、例えば、周面にゴム等の弾性体が設けられたものであり、それぞれ３つずつ設けられており、３組のローラ対をなしている。尤も、ローラ対の数はこれに限られず、適宜選択可能である。
【００１０】
各駆動ローラ１０には、磁気カードの搬送方向に直交する方向に平行に配設された軸１１が取り付けられており、この軸１１は側部フレーム３０に回転自在に軸支されてつつこれを貫通して外部へ突出している。側部フレーム３０及び３１は、方形の板体でありバー３２に支持されて磁気カードリーダＡのケースの一部をなしている。本実施形態では、各駆動ローラ１０を片持ちで支持しているが、軸１１の両端を支持するようにしてもよい。中央の駆動ローラ１０の軸１１の端部には、３連のプーリ１２が固定されており、プーリ１２には３本の無端の丸ベルト１３ａ乃至ｃが掛けられている。両端の駆動ローラ１０の軸１１の端部には、プーリ１４及び１５がそれぞれ固定されており、プーリ１２と１４との間に丸ベルト１３ｂが、プーリ１２と１５の間に丸ベルト１３ｃが、それぞれ巻き回されており、各駆動ローラ１０間で動力が伝達するように構成されている。
【００１１】
モータ１６は各駆動ローラ１０の駆動源であり、その出力軸１６ａは側部フレーム３０を貫通し、端部にプーリ１７が固定されている。プーリ１２と１７との間には丸ベルト１３ｃが巻き回されており、モータ１６の駆動力がプーリ１２に伝達される結果、各駆動ローラ１０が回転駆動される。
【００１２】
次に、図１乃至４を参照して回動部材２１及び回動部材４１について説明する。図４は、回動部材２１及び４１周辺の構成を示す分解図である。各従動ローラ２０は回動部材２１に回転自在に支持されている。回動部材２１は、各従動ローラ２０に各駆動ローラ１０に対する圧接力を付勢するための部材であり、磁気カードの搬送方向に平行な軸２２回りに回動自在に設けられている。
【００１３】
図３に示すように、回動部材２１は、断面が略コ型に形成されており、その側面に円筒部２１ａが一体に設けられている。円筒状をなす従動ローラ２０内には、軸受け２１ｃが設けられている一方、円筒部２１ａ内には軸２１ｂが固着されており、軸受け２１ｃを通過するねじ２１ｄが軸２１ｂの端部に螺合することで従動ローラ２０が回転自在に回動部材２１に支持される。
【００１４】
次に、軸２２は、その両端にねじ穴が設けられており、正面板３３又は背面板３４、及び、ワッシャ２２ｂを介してこれにねじ２２ａが螺合することで、正面板３３と背面板３４との間で固定支持される。一方、回動部材２１の両端部には軸２２が貫通する円筒部２１ｅが一体に設けられており、回動部材２１は軸２２回りに回動することが可能となる。
【００１５】
次に、回動部材４１について説明する。回動部材４１は、搬送される磁気カードの側縁に当接する当接部４２を有し、軸２２回りに回動自在に設けられている。図４に示すように、回動部材４１は、その両端部に端板４１ａが一体に設けられており、この端板４１ａの略中央に設けられた穴を軸２２が貫通することにより軸２２回りに回動可能となる。当接部４２は、その内側側面に磁気カードの側縁に当接してこれを案内する案内溝が磁気カードの搬送方向に沿って設けられており、回動部材４１の下方に固定されている。本実施形態では、当接部４２を別部材として作成し、回動部材４１の本体に固定するようにしているが、これらを一体に形成してもよい。一方、磁気カードを案内するために、当接部４２に対向して当接部材５０が配置されている。当接部材５０は、その内側側面に磁気カードの側縁に当接してこれを案内する案内溝が磁気カードの搬送方向に沿って設けられており、当接部材５０と当接部４２とにより磁気カードの両側縁が支持され、案内されることになる。また、当接部材５０は、側部フレーム３１に支持された読み取り器５１により支持されている。
【００１６】
次に、コイルばね２３及び４３について説明する。コイルばね２３及び４３は、本実施形態の場合、２つづつ設けられており、いずれもその端部が回動部材２１の側部外側に設けられたばね支持部２１ｆにより支持されている。なお、本実施形態では、コイルばねを用いているが他の弾性部材も採用可能である。
【００１７】
コイルばね２３は、従動ローラ２０が駆動ローラ１０に圧接する方向に回動を生じるように回動部材２１を付勢するものである。本実施形態の場合、コイルばね２３は回動部材２１と側部フレーム３０との間に装填されている。一方、コイルばね４３は、当接部４２が磁気カードを当接部材５０へ押圧する方向に回動を生じるように回動部材４１を付勢するものであり、回動部材２１と回動部材４１との間に装填されている。
【００１８】
次に、係る構成からなる磁気カードリーダＡの動作について説明する。磁気カードは、正面板３３に設けられた挿入口３３ａから挿入される。磁気カードの挿入が図示しないセンサにより検出されると、モータ１６が駆動し、各駆動ローラ１０を回転させる。これに伴って各従動ローラ２０も回転する。磁気カードは、当接部４２と当接部材５０に設けられた溝に案内されつつ、駆動ローラ１０と従動ローラ２０との間に狭持されて搬送される。搬送の過程において読み取り器５１によって、磁気記録部に記録された情報が読み取られる。最後に、背面板３４に設けられた排出口３４ａから装置外へ排出される。
【００１９】
次に、図５を参照して駆動ローラ１０と従動ローラ２０とを圧接する仕組みと、当接部４２により磁気カードを当接部材５０へ押圧する仕組みと、について説明する。図５（ａ）はローラを圧接する仕組みを示す動作説明図、（ｂ）はカードの押圧の仕組みを示す動作説明図である。
【００２０】
図５（ａ）を参照して、コイルばね２３は、その伸長力により、回動部材２１のばね支持部ｆを側部フレーム３０から遠ざける方向に回動部材２１を常時付勢する。このため、回動部材２１は図の矢印ａ方向に回動するように常時付勢される。この結果、従動ローラ２０の下部が駆動ローラ１０の上部に矢印ｂ方向に押圧され、両者が圧接し、ニップ部が形成されることになる。
【００２１】
一方、図５（ｂ）を参照して、コイルばね４１は、その伸長力により、回動部材４１の上端部（コイルばね４１が当接している部位）を、ばね支持部ｆから当座ける方向に回動部材４１を常時付勢する。このため、回動部材４１は図の矢印ｃ方向に回動するように常時付勢される。この結果、当接部４２が図の矢印ｄ方向（磁気カードの搬送方向に直交する方向）に磁気カードの側縁を押圧する。すなわち、磁気カードは当接部材５０に押し当てられることになり、磁気カードが位置ずれを起こすことなく搬送される。また、コイルばね４３から反力を受けて、回動部材２１が図５（ａ）の矢印ａ方向に回動するように付勢されるため、駆動ローラ１０と従動ローラ２０との間の圧接力が一層高められる。
【００２２】
このようにして本実施形態では、ローラ間の圧接と磁気カードの案内（側方への押圧）とが達成される。しかして、本実施形態では、回動部材２１及び４１の回動により、ローラ間の圧接と、磁気カードの案内とを実現するものであるが、回動部材２１と回動部材４１とが、共通の軸２２回りに回動自在に設けられているため、例えば、これらを別々の軸回りに回動するように構成する場合と比べて部品点数を削減することができ、また、組み立ても容易化することから、簡易な構成が実現される。
【００２３】
【発明の効果】
以上説明したように、本発明によれば、ローラを圧接する仕組みとカードの搬送を案内する仕組みとを、より簡易に構成することができる。
【図面の簡単な説明】
【図１】本発明の一実施形態に係る磁気カードリーダＡの概略を示す平面図である。
【図２】図１の線ＸＸに沿う断面図である。
【図３】図１の線ＹＹに沿う断面図である。
【図４】回動部材２１及び４１周辺の構成を示す分解図である。
【図５】（ａ）はローラを圧接する仕組みを示す動作説明図、（ｂ）はカードの押圧の仕組みを示す動作説明図である。
【符号の説明】
Ａ  磁気カードリーダ
１０  駆動ローラ
２０  従動ローラ
２１  回動部材
２２  軸
２３  コイルばね
５０  当接部材
４２  当接部
４１  回動部材
４３  コイルばね
【図１】
2004227161.tif 000003
【図２】
2004227161.tif 000004
【図３】
2004227161.tif 000005
【図４】
2004227161.tif 000006
【図５】
2004227161.tif 000007